(57)【要約】【課題】組立作業性の向上を図ることのできる容器を提供する。【解決手段】側壁部３、４の下辺部から突出する挿入部１２、３３を、底壁構成部２の被挿入部４５に挿入することで、挿入部１２、３３のメイン係止部１７が、被挿入部４５のメイン被係止部４７に係止され、容器１が組立てられる。長辺側側壁部３の長辺側挿入部１２として、突出長の異なる第１挿入部６１及び第２挿入部６４が設けられ、底壁構成部２は、第１挿入部６１及び第２挿入部６４が被挿入部４５に挿入される際に、第１挿入部６１のメイン係止部１７の第１当接部６３と当接する第１被当接部６７と、第２挿入部６４のメイン係止部１７の第２当接部６６と当接する第２被当接部６８とを備える。長辺側側壁部３と、底壁構成部２の長側辺部とを上下に平行に配置した場合に、第１当接部６３と、第１被当接部６７との間の距離と、第２当接部６６と、第２被当接部６８との間の距離とが同じとなる。【選択図】      図４
2018140815.tif 000002
【特許請求の範囲】
【請求項１】
平面視略矩形状の底壁構成部と、
前記底壁構成部の各側辺部の上方に立設される側壁部とを備え、
前記側壁部は、下辺部から下方に突出する複数の挿入部を備え、
前記底壁構成部は、上方に開口し、前記各挿入部を挿入可能な複数の被挿入部を備え、
前記挿入部は、係止部を備え、
前記被挿入部は、前記係止部と係止状態とされる被係止部を備え、
前記側壁部のうち少なくとも一つの側壁部に関し、当該側壁部に設けられる前記複数の挿入部として、第１挿入部と、前記第１挿入部よりも前記側壁部からの突出長の長い第２挿入部とを備え、
前記底壁構成部は、
前記第１挿入部が前記被挿入部に挿入される際に、前記第１挿入部の前記係止部である第１係止部の第１当接部と当接し、前記第１係止部を変位させる第１被当接部と、
前記第２挿入部が前記被挿入部に挿入される際に、前記第２挿入部の前記係止部である第２係止部の第２当接部と当接し、前記第２係止部を変位させる第２被当接部とを備え、
前記第１挿入部、及び、前記第２挿入部を備える前記側壁部と、前記底壁構成部の対応する側辺部とを上下に平行に配置した場合に、
前記第１挿入部の下端部と、対応する前記被挿入部の挿入口との間の距離と、前記第２挿入部の下端部と、対応する前記被挿入部の挿入口との間の距離とが異なり、かつ、
前記第１当接部と、前記第１被当接部との間の距離と、前記第２当接部と、前記第２被当接部との間の距離とが同じとなるように構成されていることを特徴とする容器。
【請求項２】
前記第１当接部の高さ位置と、前記第２当接部の高さ位置とが同じであり、
前記第１被当接部の高さ位置と、前記第２被当接部の高さ位置とが同じであることを特徴とする請求項１に記載の容器。
【請求項３】
前記挿入部は、前記側壁部の下辺部から下方に延びる弾性片と、前記弾性片の側方において前記弾性片に沿って延びる保護部とを備え、前記係止部が前記弾性片に設けられる構成において、
前記係止部は爪形状をなし、前記係止部のうち前記被係止部と係止される係止面の反対面側には、前記係止面に対して傾斜して延びる傾斜部が設けられ、前記傾斜部において、前記第１当接部、及び、前記第２当接部が設けられていることを特徴とする請求項１又は２に記載の容器。
【請求項４】
前記底壁構成部は、容器が設置面に設置された場合に当該設置面に接地する略矩形板状の底壁部と、前記底壁部の各側辺部から上方に延びる縦壁部と、前記縦壁部の上辺部から外方に突出する受フランジ部とを備え、
前記受フランジ部において前記被挿入部の前記挿入口が設けられ、前記側壁部の下辺部が前記受フランジ部の上面に支持される構成において、
前記底壁部を外方に延長させるようにして、前記縦壁部よりも外方に突出する底フランジ部を備え、
前記被挿入部のうち、前記第２挿入部が挿入される前記被挿入部を構成する挿入壁部は、前記受フランジ部と、前記底フランジ部との間を連結するようにして設けられていることを特徴とする請求項１乃至３のいずれかに記載の容器。
【請求項５】
前記側壁部に設けられた複数の前記挿入部のうち、前記側壁部の両側部、又は、その近傍位置に設けられる前記挿入部である端部挿入部は前記第１挿入部として構成され、
前記底壁構成部の下面には、前記端部挿入部が挿入される前記被挿入部の下方位置において段積み凹部が設けられ、
前記側壁部の上面には、前記端部挿入部の上方位置において設けられ、容器同士を上下に重ねた場合に、上側の容器の前記段積み凹部に挿入される段積み凸部が設けられていることを特徴とする請求項１乃至４のいずれかに記載の容器。
【発明の詳細な説明】
【技術分野】
【０００１】
本発明は、物品の運搬等に使用される容器に関するものである。
【背景技術】
【０００２】
従来、物品の運搬等に使用される容器として、平面視略矩形状の底壁構成部と、底壁構成部の各側辺部の上方に立設される側壁部とを備え、底壁構成部に対し側壁部が着脱自在に構成されたものが知られている。また、各側壁部には複数の係合部が設けられており、底壁構成部には、各側辺部に沿って、対応する側壁部の係合部と係合される複数の被係合部が設けられている（例えば、特許文献１等参照。）。
【先行技術文献】
【特許文献】
【０００３】
【特許文献１】特開２０１５−３７３８号公報
【発明の概要】
【発明が解決しようとする課題】
【０００４】
ところで、底壁構成部と、側壁部とを組立てて使用する容器の組立作業に関し、より一層の作業性の向上が求められている。
【０００５】
本発明は、上記例示した問題点等を解決するためになされたものであって、その目的は、組立作業性の向上を図ることのできる容器を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．平面視略矩形状の底壁構成部と、
前記底壁構成部の各側辺部の上方に立設される側壁部とを備え、
前記側壁部は、下辺部から下方に突出する複数の挿入部を備え、
前記底壁構成部は、上方に開口し、前記各挿入部を挿入可能な複数の被挿入部を備え、
前記挿入部は、係止部を備え、
前記被挿入部は、前記係止部と係止状態とされる被係止部を備え、
前記側壁部のうち少なくとも一つの側壁部に関し、当該側壁部に設けられる前記複数の挿入部として、第１挿入部と、前記第１挿入部よりも前記側壁部からの突出長の長い第２挿入部とを備え、
前記底壁構成部は、
前記第１挿入部が前記被挿入部に挿入される際に、前記第１挿入部の前記係止部である第１係止部の第１当接部と当接し、前記第１係止部を変位させる第１被当接部と、
前記第２挿入部が前記被挿入部に挿入される際に、前記第２挿入部の前記係止部である第２係止部の第２当接部と当接し、前記第２係止部を変位させる第２被当接部とを備え、
前記第１挿入部、及び、前記第２挿入部を備える前記側壁部と、前記底壁構成部の対応する側辺部とを上下に平行に配置した場合に、
前記第１挿入部の下端部と、対応する前記被挿入部の挿入口との間の距離と、前記第２挿入部の下端部と、対応する前記被挿入部の挿入口との間の距離とが異なり、かつ、
前記第１当接部と、前記第１被当接部との間の距離と、前記第２当接部と、前記第２被当接部との間の距離とが同じとなるように構成されていることを特徴とする容器。
【０００８】
手段１によれば、側壁部は、その下辺部において、下方への突出長の異なる第１挿入部、及び、第２挿入部を備えており、側壁部を底壁構成部に取付ける場合に、先ず、第２挿入部の先端（下端）が対応する被挿入部に挿入され、その後、第１挿入部の先端が対応する被挿入部に挿入されることとなる。このため、側壁部の複数の挿入部を、底壁構成部の複数の被挿入部に挿入させる作業に際して、複数の挿入部のうち被挿入部に対して最初に挿入させる挿入部が第２挿入部に限定され、被挿入部に対して最初に、（ほぼ）同時に挿入させる挿入部の数を低減させることができる。従って、側壁部に設けられた挿入部の数が多く、当該側壁部を底壁構成部に取付ける際に、その全ての挿入部を、対応する被挿入部と位置合わせし、（ほぼ）同時に挿入させるといった構成に比べ、作業性の向上を図ることができる。特に、第２挿入部は第１挿入部よりも下方に突出していることから、側壁部の底壁構成部への取付作業に際し、第２挿入部を対応する被挿入部に位置合わせすればよいことを認識し易くするとともに、位置合わせして挿入する作業を比較的容易に行うことができる。さらに、第２挿入部の先端が被挿入部に挿入された後は、第２挿入部をそのまま被挿入部の奥へと挿入させることで、第１挿入部と、対応する被挿入部との位置関係を余り意識しなくても、スムースに第１挿入部を対応する被挿入部に挿入させることができる。結果として、容器の組立作業性の向上等を図ることができる。
【０００９】
また、側壁部を底壁構成部に取付ける際に、第１挿入部、及び、第２挿入部の第１係止部、及び、第２係止部が、第１当接部、及び、第２当接部において、底壁構成部の第１被当接部、及び、第２被当接部と当接することとなる（第１係止部、及び、第２係止部が、第１被当接部、及び、第２被当接部を乗り越えて、被係止部に係止される格好となる）。本手段によれば、側壁部を、底壁構成部の対応する側辺部の上方において平行に配置した場合、第１当接部と第１被当接部との間の距離と、第２当接部と第２被当接部との間の距離とが同じとなるように構成されている。このため、側壁部を、底壁構成部の対応する側辺部の上方において平行に配置し、そのまま下降させて挿入部を被挿入部に挿入させることで、第１当接部と、第１被当接部とが当接するタイミングと、第２当接部と、第２被当接部とが当接するタイミングとを一致させることができる。従って、側壁部を底壁構成部に取付ける際に、側壁部と底壁構成部との間のファーストコンタクトとして各係止部が底壁構成部から受ける応力を、当該側壁部に設けられた全ての係止部に分散させることができる。結果として、側壁部を底壁構成部に取付ける作業に際しての係止部等の損傷リスクを低減させることができる。
【００１０】
尚、「前記複数の被挿入部の前記挿入口の高さ位置はいずれも同じであること」としてもよい。この場合、底壁構成部のうち挿入口が形成される面、すなわち、側壁部の下辺部との当接面を平坦面とすることができる。従って、例えば、底壁構成部のうち挿入口の形成面が凸凹する場合に比べ、底壁構成部と、側壁部との間に隙間が形成されるといった事態を飛躍的に低減させることができる。
【００１１】
手段２．前記第１当接部の高さ位置と、前記第２当接部の高さ位置とが同じであり、
前記第１被当接部の高さ位置と、前記第２被当接部の高さ位置とが同じであることを特徴とする手段１に記載の容器。
【００１２】
手段２によれば、第１被当接部、及び、第２被当接部の高さ位置を揃えることができ、底壁構成部の形状の複雑化を抑制することができる。さらに、第１当接部、及び、第２当接部の高さ位置を揃えることができ、底壁部の下辺部が略水平方向に延びる場合、第１挿入部、及び、第２挿入部の付根部から第１当接部、及び、第２当接部までの間の長さを揃えることができる。従って、例えば、第１挿入部、及び、第２挿入部の付根部から第１当接部、及び、第２当接部までの間の長さが異なることに起因して、当該部位の変形し易さ等に差異が生じ、側壁部を底壁構成部に取付ける際に、当該側壁部に設けられた係止部が底壁構成部から受ける応力を当該側壁部に設けられた全ての係止部に（ほぼ均等に）分散させるといった作用効果が薄れてしまうといった事態を回避することができる。
【００１３】
手段３．前記挿入部は、前記側壁部の下辺部から下方に延びる弾性片と、前記弾性片の側方において前記弾性片に沿って延びる保護部とを備え、前記係止部が前記弾性片に設けられる構成において、
前記係止部は爪形状をなし、前記係止部のうち前記被係止部と係止される係止面の反対面側には、前記係止面に対して傾斜して延びる傾斜部が設けられ、前記傾斜部において、前記第１当接部、及び、前記第２当接部が設けられていることを特徴とする手段１又は２に記載の容器。
【００１４】
手段３によれば、係止部が設けられた弾性片から独立して設けられた保護部により、弾性片の保護を図るとともに、挿入部を被挿入部に挿入する作業に際しての底壁構成部に対する側壁部の位置決めをより確実、かつ、スムースに行うことができる。また、第１当接部、及び、第２当接部が傾斜部において設けられているため、第１当接部、及び、第２当接部が第１被当接部、及び、第２被当接部と当接した後、弾性片を比較的スムースに弾性変形させることができ、係止部が第１被当接部、及び、第２被当接部を相対的に乗り越えられるように、係止部を比較的スムースに変位させることができる。
【００１５】
手段４．前記底壁構成部は、容器が設置面に設置された場合に当該設置面に接地する略矩形板状の底壁部と、前記底壁部の各側辺部から上方に延びる縦壁部と、前記縦壁部の上辺部から外方に突出する受フランジ部とを備え、
前記受フランジ部において前記被挿入部の前記挿入口が設けられ、前記側壁部の下辺部が前記受フランジ部の上面に支持される構成において、
前記底壁部を外方に延長させるようにして、前記縦壁部よりも外方に突出する底フランジ部を備え、
前記被挿入部のうち、前記第２挿入部が挿入される前記被挿入部を構成する挿入壁部は、前記受フランジ部と、前記底フランジ部との間を連結するようにして設けられていることを特徴とする手段１乃至３のいずれかに記載の容器。
【００１６】
手段４によれば、第２挿入部が挿入される被挿入部を構成する挿入壁部により、受フランジ部と、底フランジ部との間が連結されていることから、受フランジ部、底フランジ部、及び、第２挿入部が挿入される被挿入部（挿入壁部）の剛性を相乗的に高めることができる。従って、受フランジ部、底フランジ部、及び、第２挿入部が挿入される被挿入部（挿入壁部）の変形、及び、損傷を抑止することができる。特に、底フランジ部は、底壁部を外方へ延長させるようにして設けられ、例えば、容器が床面等の設置面に設置された場合に、底壁部とともに設置面に接地することとなる。このため、受フランジ部が、第２挿入部を備える側壁部から加重を受けた場合に、設置面に支持される底フランジ部と、挿入壁部とが協働して、受フランジ部をより確実に支持する（受フランジ部の変形等を防止する）ことができる。その一方で、底フランジ部が設置面からの加重を受けた場合には、挿入壁部、及び、受フランジ部が協働し、底フランジ部の変形等を防止することができる。
【００１７】
また、例えば、挿入壁部を、受フランジ部と、底フランジ部との間を連結するようにして設ける構成を省略する代わりに、同等の強度アップを図ることのできる補強用のリブを別途設ける場合に比べ、底壁構成部の外周面側の構成の簡素化を図ることができる。さらに、底壁構成部の外周面（縦壁部の外面）に対し、所定の情報を有する情報部（印刷面、カードホルダ設置部等）を設けるスペースを確保し易くすることができる。
【００１８】
尚、底フランジ部が設けられることにより、容器の接地面積を増やすことができ、設置状態の安定化を図ることができる。特に、第２挿入部を備える側壁部に下向きの力が作用した場合に、容器が傾いてしまうといった事態をより確実に防止することができる。
【００１９】
手段５．前記側壁部に設けられた複数の前記挿入部のうち、前記側壁部の両側部、又は、その近傍位置に設けられる前記挿入部である端部挿入部は前記第１挿入部として構成され、
前記底壁構成部の下面には、前記端部挿入部が挿入される前記被挿入部の下方位置において段積み凹部が設けられ、
前記側壁部の上面には、前記端部挿入部の上方位置において設けられ、容器同士を上下に重ねた場合に、上側の容器の前記段積み凹部に挿入される段積み凸部が設けられていることを特徴とする手段１乃至４のいずれかに記載の容器。
【００２０】
手段５によれば、底壁構成部の下面側に段積み凹部が設けられ、容器同士を上下に重ねる（段積みする）場合に、上側の容器の段積み凹部に対し、下側の容器の段積み凸部が挿入されるようになっている。これにより、上側の容器の底壁構成部のうち段積み凹部が形成された範囲の部位を、下側の容器の側壁部の内側に挿入させることができる。従って、容器を安定して段積みすることができ、運搬・保管効率の向上を図ることができる。
【００２１】
また、側壁部の両端部、又は、その近傍位置に設けられる挿入部は第１挿入部であるため、底壁構成部の高さが低い場合であっても、側壁部の両端部、又は、その近傍位置に対し、第１挿入部を挿入する被挿入部の下方位置に、段積み凹部を形成することができる。さらに、例えば、第１挿入部及び第２挿入部が設けられた側壁部の横幅方向中央部に対応して段積み凸部が設けられる場合に比べ、段積みに関する構成を好適に設けることができる。
【図面の簡単な説明】
【００２２】
【図１】組立状態にある容器を上面側から見た斜視図である。
【図２】図１のＪ部を示す部分拡大斜視図。
【図３】組立状態にある容器を下面側から見た斜視図である。
【図４】容器の分解斜視図である。
【図５】長辺側挿入部と、被挿入部との位置関係を説明するための側面図である。
【図６】図５の長辺側側壁部及び短辺側側壁部を底壁構成部に取付けた状態を示す部分側面図である。
【図７】図６のＡ−Ａ線断面図である。
【図８】長辺側挿入部（第１挿入部）を被挿入部に挿入して図７の状態とする直前の状態を示す断面図である。
【図９】図６のＢ−Ｂ線断面図である。
【図１０】長辺側挿入部（第２挿入部）を被挿入部に挿入して図９の状態とする直前の状態を示す断面図である。
【図１１】長辺側側壁部の外面側を示す斜視図である。
【図１２】図１１のＫ部を示す部分拡大斜視図である。
【図１３】長辺側側壁部の内面側を示す斜視図である。
【図１４】短辺側側壁部の外面側を示す斜視図である。
【図１５】短辺側側壁部の内面側を示す斜視図である。
【図１６】底壁構成部の上面側を示す斜視図である。
【図１７】底壁構成部の部分拡大斜視図である。
【図１８】底壁構成部の下面側を示す斜視図である。
【図１９】段積みされた容器の斜視図である。
【図２０】図１９のＣ−Ｃ線部分断面図である。
【図２１】図１９のＤ−Ｄ線部分断面図である。
【発明を実施するための形態】
【００２３】
以下に、一実施形態について図面を参照して説明する。図１、図３、図４等に示すように、容器１は、平面視略矩形状の底壁構成部２と、底壁構成部２の相対する一対の長側辺部の上方に立設される長辺側側壁部３と、底壁構成部２の相対する一対の短側辺部の上方に立設される短辺側側壁部４とを備えている。底壁構成部２、長辺側側壁部３、及び、短辺側側壁部４は、それぞれ別体として構成され、底壁構成部２に対し、長辺側側壁部３、及び、短辺側側壁部４が着脱自在に構成されている。本実施形態では、底壁構成部２、長辺側側壁部３、及び、短辺側側壁部４は、ポリプロピレンにより構成されている。
【００２４】
図５、図１１、図１３等に示すように、各長辺側側壁部３は、正面視略矩形状の長辺側ベース部１１と、長辺側ベース部１１の下辺部から下方に突出する長辺側挿入部１２と、長辺側ベース部１１の側辺部から側方に突出する係合突部１３と、長辺側ベース部１１の上辺部の両端部から上方に突出する長辺側凸部１４とを備えている。本実施形態では、各長辺側側壁部３において、長辺側挿入部１２が、長辺側ベース部１１の両側部と、その中間位置とにおいて、４つ設けられている。また、長辺側側壁部３、及び、短辺側側壁部４の下辺部の下面は略水平方向に延びている。
【００２５】
図１２等に示すように、各長辺側挿入部１２は、長辺側ベース部１１の下辺部から下方に延び、長辺側側壁部３の厚み方向において弾性変形可能な弾性片１６と、弾性片１６の先端部、又は、その近傍位置から外方に突出するメイン係止部１７と、弾性片１６の先端部から両側方に突出する左右一対のサブ係止部１８とを具備する弾性係止片１５と、弾性係止片１５の両側方において、弾性片１６に沿って延びる左右一対の柱部２０と、一対の柱部２０の先端部間を連結する横架部２１とを具備し、前記弾性係止片１５を囲うようにして設けられる略コ字状の保護部１９とを備えている。
【００２６】
メイン係止部１７は爪形状をなし、メイン係止部１７のうち詳しくは後述するメイン被係止部４７と係止されるメイン係止面１７ａは、弾性片１６の外面に対して略直交して延びている（図７等参照）。また、図５等に示すように、メイン係止部１７の横幅は、弾性片１６の横幅と同じとなっている。さらに、図７、図１２等に示すように、メイン係止部１７のうち、メイン係止面１７ａの反対面側には、メイン係止面１７ａに対して傾斜して延びる傾斜部１７ｂが設けられている。
【００２７】
これに対し、図１２等に示すように、サブ係止部１８の先端面（下面）は、弾性片１６の外面に対して略直交して延びている。また、図５に示すように、メイン係止面１７ａは、サブ係止部１８のうち詳しくは後述するサブ被係止部４８と係止されるサブ係止面１８ａよりも若干上方に位置している。尚、サブ係止面１８ａは、長辺側側壁部３の内面側の部位が、若干下方傾斜している（図２０参照）。
【００２８】
図１２、図１５等に示すように、柱部２０の長辺側ベース部１１からの延出長は、弾性片１６の長辺側ベース部１１からの延出長よりも長く、横架部２１は、弾性係止片１５よりも下方に位置している。さらに、図７、図９等に示すように、長辺側側壁部３の厚み方向において、柱部２０の外面と、弾性片１６の外面とが同じ位置となるように構成されている。このため、弾性係止片１５のうちメイン係止部１７のみが、柱部２０よりも外方に突出するような格好となっている。加えて、長辺側側壁部３の厚み方向において、柱部２０の幅は、弾性片１６の幅よりも大きく構成され、詳しくは後述するように、長辺側挿入部１２を底壁構成部２の被挿入部４５に挿入する際に弾性片１６が弾性変形した状態であっても、弾性片１６が、柱部２０の厚みの範囲内に収まるように構成されている。
【００２９】
また、長辺側側壁部３の厚み方向において、保護部１９の外面は、長辺側ベース部１１の外面よりも内方（長辺側側壁部３の内面側）に位置し、保護部１９の内面は、長辺側ベース部１１の内面よりも外方（長辺側側壁部３の外面側）に位置している。さらに、長辺側側壁部３の厚み方向において、横架部２１の外面は、弾性変形していない状態の弾性片１６の内面と同じ位置、又は、若干内方に位置している。
【００３０】
保護部１９の左右一対の柱部２０は、その付根部（長辺側ベース部１１との連結部位）において、一対の柱部２０が互いに離間する方向に傾斜して延びている。さらに、柱部２０のうち弾性係止片１５側の内側側面と、長辺側ベース部１１の下辺部との間を斜めに連結する補助支持部２０ａと、補助支持部２０ａと柱部２０の付根部との間を連結する耐力壁部２０ｂとが設けられている。尚、弾性係止片１５と、保護部１９とは、弾性係止片１５が弾性変形していない状態、及び、弾性変形した状態のいずれにあっても、接触しないように構成されている。
【００３１】
図４、図１４、図１５等に示すように、各短辺側側壁部４は、正面視略矩形状の短辺側ベース部３１と、短辺側ベース部３１の両側辺部から内方に突出する左右一対の連結壁部３２とを備え、平面視略コ字状をなしている。また、各短辺側側壁部４は、短辺側ベース部３１の下辺部から下方に突出する短辺側挿入部３３を備えている。本実施形態では、各短辺側側壁部４において、短辺側挿入部３３が、各連結壁部３２よりも短辺側ベース部３１の横幅方向中央部側において２つ設けられている。尚、短辺側挿入部３３についても、長辺側挿入部１２と同様の構成を具備している。
【００３２】
さらに、容器１の組立状態において長辺側側壁部３の側面と当接状態とされる各連結壁部３２の先端面側には、長辺側側壁部３の係合突部１３と係合される係合凹部３４が設けられている。また、図２、図５に示すように、容器１の組立状態において、短辺側側壁部４の短辺側ベース部３１の上辺部の上面は、長辺側側壁部３の長辺側凸部１４の上面よりも若干（例えば、０．５ｍｍ程度）上方に位置しており、連結壁部３２の上面は、短辺側ベース部３１の上面と、長辺側凸部１４の上面との間を連続させるようにして傾斜している。特に、本実施形態では、連結壁部３２の上面の傾斜が２段階となっており、短辺側ベース部３１側の部位は、長辺側凸部１４側の部位よりも、短辺側ベース部３１の上面に対する傾きが小さくなっている。
【００３３】
また、図２、図１５に示すように、短辺側側壁部４には、連結壁部３２の内面を構成する壁部を、連結壁部３２の先端面から長辺側側壁部３側に突出させるようにして縦長突条部３５が設けられている。これに対し、図２、図１３に示すように、長辺側側壁部３の側面には、容器１が組立てられ、短辺側側壁部４の連結壁部３２の先端面と当接状態とされた場合に、縦長突条部３５が挿入される縦長切欠き部２２が設けられている。このように、長辺側側壁部３と、短辺側側壁部４との合わせ面において、縦長突条部３５及び縦長切欠き部２２が設けられることにより、長辺側側壁部３と、短辺側側壁部４との間の隙間が塞がれることとなる。尚、図２に示すように、縦長突条部３５の上端部に関しては、縦長切欠き部２２を構成するリブ等との接触を回避して損傷等を抑止するべく、斜めに切欠かれた形状とされている。加えて、図１等に示すように、短辺側ベース部３１の上部には持ち手孔３６が設けられており、短辺側ベース部３１のうち持ち手孔３６の上方部位を手で握って容器１を持ち運ぶことができるように構成されている。
【００３４】
図１６、図１８等に示すように、底壁構成部２は、容器１が設置面に設置された場合に当該設置面に接地する略矩形板状の底壁部４１と、底壁部４１の各側辺部から上方に延びる縦壁部４２と、縦壁部４２の上辺部から外方に突出する受フランジ部４３と、縦壁部４２の下辺部に沿って縦壁部４２の外方に突出する下フランジ部４４とを備えている。
【００３５】
また、受フランジ部４３と、下フランジ部４４との間には、側壁部３、４の挿入部１２、３３が挿入される被挿入部４５が設けられている。本実施形態では、受フランジ部４３において被挿入部４５の挿入口４６が設けられ、図７、図９等に示すように、挿入口４６を介して挿入部１２、３３が被挿入部４５に挿入されるとともに、側壁部３、４（長辺側ベース部１１、及び、短辺側ベース部３１）の下辺部が、受フランジ部４３の上面に支持されるように構成されている。
【００３６】
また、図１６に示すように、被挿入部４５は、各側壁部３、４に設けられた複数の挿入部１２、３３に個別に対応して設けられており、底壁構成部２の各長側辺部に対応して被挿入部４５が４つずつ設けられ、底壁構成部２の各短側辺部に対応して被挿入部４５が２つずつ設けられている。本実施形態では、受フランジ部４３の上面は平坦面であり、全ての被挿入部４５の挿入口４６が同じ高さ位置となるように構成されている。
【００３７】
被挿入部４５は、側壁部３、４のメイン係止部１７と係止状態とされるメイン被係止部４７と、側壁部３、４のサブ係止部１８と係止状態とされるサブ被係止部４８とを備えている。より具体的に説明すると、図３等に示すように、各被挿入部４５は、挿入口４６の左右両側方位置において、受フランジ部４３の下面と、下フランジ部４４の上面と、縦壁部４２の外面との間を連結する左右一対の横壁部４９と、左右一対の横壁部４９のうち底壁構成部２の外周側の端部と、受フランジ部４３の下面と、下フランジ部４４の上面との間を連結する外壁部５０とを備えている。尚、図５、図８等に示すように、外壁部５０は、板状部５１と、板状部５１の外面側において受フランジ部４３等よりも外方に突出しないように設けられた格子状の補強リブ５２とを備えている。本実施形態では、横壁部４９、及び、外壁部５０により挿入壁部が構成されている。
【００３８】
さらに、図５、図８等に示すように、外壁部５０には、係止孔５３が設けられており、係止孔５３の上縁部（板状部５１の開口縁及び補強リブ５２）により、メイン被係止部４７が構成されている。図５、図６に示すように、係止孔５３の横幅は、メイン係止部１７の横幅よりも広く構成されており、係止孔５３の横幅方向略中央部において、メイン係止部１７がメイン被係止部４７と係止されるようになっている（係止孔５３の上縁部のうち横幅方向中央部を含む部位がメイン被係止部４７として構成されている）。また、容器１の組立状態では、係止孔５３を介してサブ係止部１８を視認可能に構成されている。
【００３９】
加えて、図５、図１７等に示すように、係止孔５３の上縁部のうちメイン係止部１７が係止される部位（メイン被係止部４７）の両側方位置には、外壁部５０の板状部５１の内面から突出する左右一対のサブ被係止部４８が設けられている。つまり、係止孔５３を介して視認されるサブ係止部１８の上面（サブ係止面１８ａ）が、サブ被係止部４８の下面に係止状態とされる。また、図８、図２０等に示すように、サブ被係止部４８の下面（被係止面）は、底壁構成部２の内周側に向けて若干下方傾斜している。上記のように、サブ係止部１８の上面（サブ係止面１８ａ）のうち側壁部３、４の内面側の部位においても、側壁部３、４の内面側に向けて下方傾斜していることから、サブ係止面１８ａと、サブ被係止部４８とが圧接した場合に、サブ係止部１８がサブ被係止部４８から外れ難くなっている。また、サブ被係止部４８のうち、被係止面とは反対側の面（上面）は、底壁構成部２の内周側に向けて、前記被係止面よりも大きく下方傾斜している。
【００４０】
加えて、図７、図８、図１７等に示すように、被挿入部４５には、縦壁部４２から突出して上下に延び、被挿入部４５に挿入された挿入部１２、３３の保護部１９と当接可能な位置決め調整部５４が設けられている。尚、縦壁部４２のうち被挿入部４５を構成する面は、下方に向けて外方に若干傾斜して延びており、位置決め調整部５４（特に、保護部１９との当接面）についても、下方に向けて外方に若干傾斜して延びている。このため、被挿入部４５に挿入される挿入部１２、３３は、位置決め調整部５４によって外方（外壁部５０側）に案内されるようになっている。
【００４１】
また、図５、図１６に示すように、底壁構成部２には、底壁構成部２の全周にわたり、縦壁部４２を受フランジ部４３よりも上方に突出させるようにして周状突条部５５が設けられている。これに対し、図７、図８等に示すように、長辺側側壁部３、及び、短辺側側壁部４の下面には、容器１が組立てられ、受フランジ部４３の上面と当接状態とされた場合に、周状突条部５５が挿入される下部切欠き部２３、３７が設けられている。このように、長辺側側壁部３、及び、短辺側側壁部４と、底壁構成部２との合わせ面において、周状突条部５５及び下部切欠き部２３、３７が設けられることにより、長辺側側壁部３、及び、短辺側側壁部４と、底壁構成部２との間の隙間が塞がれることとなる。
【００４２】
容器１の組立作業は、先ず、長辺側側壁部３の長辺側ベース部１１の下辺部と、底壁構成部２の受フランジ部４３とが当接するまで、長辺側側壁部３の長辺側挿入部１２を底壁構成部２の対応する被挿入部４５に挿入させる。これにより、長辺側挿入部１２のメイン係止部１７、及び、サブ係止部１８が、被挿入部４５のメイン被係止部４７、及び、サブ被係止部４８に係止されるようになっている。また、この状態において、各長辺側挿入部１２の保護部１９は、各被挿入部４５の外壁部５０（板状部５１）と、縦壁部４２（位置決め調整部５４）との間に挟まれるような格好で支持される。これにより、長辺側側壁部３は自立可能となっている。
【００４３】
その後、長辺側側壁部３の係合突部１３を係合凹部３４に挿入させるようにして、短辺側側壁部４を長辺側側壁部３と係合させつつ、短辺側挿入部３３を被挿入部４５に挿入する。そして、短辺側ベース部３１の下辺部と、底壁構成部２の受フランジ部４３とが当接するまで、短辺側挿入部３３を被挿入部４５に挿入させることで、短辺側挿入部３３のメイン係止部１７、及び、サブ係止部１８が、被挿入部４５のメイン被係止部４７、及び、サブ被係止部４８に係止される。以上のようにして、容器１が組立てられるようになっている。
【００４４】
さて、図５、図１１等に示すように、本実施形態の長辺側側壁部３は、長辺側挿入部１２として、第１挿入部６１と、第１挿入部６１よりも長辺側ベース部１１からの突出長の長い第２挿入部６４とを備えている。本実施形態では、４つの長辺側挿入部１２のうち、長辺側側壁部３の両側部に設けられた一対の長辺側挿入部１２（端部挿入部）が第１挿入部６１として構成され、その間に設けられた２つの長辺側挿入部１２が第２挿入部６４として構成されている。
【００４５】
また、本実施形態では、第１挿入部６１、及び、第２挿入部６４は、基本的に同様の構成を具備しているが、第２挿入部６４の保護部１９の柱部２０が、第１挿入部６１の保護部１９の柱部２０よりも長く構成されている。このため、長辺側側壁部３を底壁構成部２に取付ける際に、第２挿入部６４（保護部１９）の先端部が対応する被挿入部４５（挿入口４６）に挿入された後に、第１挿入部６１（保護部１９）の先端部が対応する被挿入部４５（挿入口４６）に挿入されるようになっている。
【００４６】
その他、第１挿入部６１と、第２挿入部６４との間で、保護部１９の横架部２１の上下幅と、弾性片１６の長さと、サブ係止部１８の上下幅とが若干異なるものの、基本的に同様の形状を成している。特に、本実施形態では、第１挿入部６１のメイン係止部１７と、第２挿入部６４のメイン係止部１７とは、同じ形状であり、かつ、同じ高さ位置に設けられている。
【００４７】
より具体的に、本実施形態では、図８、図１０に示すように、第１挿入部６１、及び、第２挿入部６４を被挿入部４５に挿入する際に、メイン係止部１７の傾斜部１７ｂにおいて、挿入口４６の一部を画定する外壁部５０の上辺部（内面と上面との境界部）と当接するように構成されている。そして、第１挿入部６１のメイン係止部１７（以下、「第１係止部６２」とも称する）の傾斜部１７ｂのうち外壁部５０の上辺部と当接する部位（以下、「第１当接部６３」とも称する）の高さ位置と、第２挿入部６４のメイン係止部１７（以下、「第２係止部６５」とも称する）の傾斜部１７ｂのうち外壁部５０の上辺部と当接する部位（以下、「第２当接部６６」とも称する）の高さ位置とが同じとなるように構成されている。尚、第１挿入部６１が挿入される被挿入部４５の外壁部５０の上辺部（内面と上面との境界部）を「第１被当接部６７」と称し、第２挿入部６４が挿入される被挿入部４５の外壁部５０の上辺部（内面と上面との境界部）を「第２被当接部６８」と称する。
【００４８】
以上のような構成により、長辺側側壁部３を底壁構成部２に取付ける際に、図５に示すように、長辺側側壁部３と、底壁構成部２の対応する長側辺部とを上下に（離間した状態で）平行に配置した場合には、第１挿入部６１（保護部１９）の下端部と、対応する被挿入部４５の挿入口４６との間の距離が、第２挿入部６４（保護部１９）の下端部と、対応する被挿入部４５の挿入口４６との間の距離よりも長くなる（図５では、挿入口４６が図示されないが、挿入口４６は、受フランジ部４３と同じ高さ位置に存在する）。その一方で、図５、図８、図１０に示すように、第１挿入部６１の第１当接部６３（第１係止部６２の傾斜部１７ｂ）と、第１被当接部６７（対応する被挿入部４５の挿入口４６）との間の距離と、第２当接部６６（第２係止部６５の傾斜部１７ｂ）と、第２被当接部６８（対応する被挿入部４５の挿入口４６）との間の距離とが同じとなる。尚、本実施形態では、被挿入部４５の挿入口４６の高さ位置と、第１被当接部６７の高さ位置と、第２被当接部６８の高さ位置とが同じとなっている。
【００４９】
また、第１挿入部６１のメイン係止部１７（第１係止部６２）のメイン係止面１７ａと、第２挿入部６４のメイン係止部１７（第２係止部６５）のメイン係止面１７ａとが同じ高さ位置となっている。加えて、サブ係止部１８のサブ係止面１８ａの高さ位置についても、第１挿入部６１と、第２挿入部６４とで同じである。尚、図１１等に示すように、長辺側側壁部３の長辺側ベース部１１のうち長辺側挿入部１２と連結される下辺部は、長辺側側壁部３の長手方向に延びるリブ状に構成され、当該下辺部のうち第２挿入部６４が設けられた部位の反対面側には、当該下辺部と、長辺側ベース部１１の外面との間を連結する略三角形状の補助リブ２４が設けられている。また、図１４等に示すように、短辺側側壁部４に設けられた２つの短辺側挿入部３３については、どちらも第１挿入部６１と同じ形状をなしている。
【００５０】
図５、図１８等に示すように、底壁構成部２の下フランジ部４４は、少なくとも第２挿入部６４が挿入される被挿入部４５が設けられた範囲において、底壁部４１を外方に延長させるようにして設けられた底フランジ部６９と、底壁構成部２の長側辺部の両端部、及び、短側辺部に対応して、底フランジ部６９よりも上方位置において水平に延びる退避フランジ部７０と、底フランジ部６９と、退避フランジ部７０との端部間を斜めに連結する連結部７１とを備えている。当該構成により、退避フランジ部７０及び連結部７１の下面と、縦壁部４２の外面との間に凹部（以下、「段積み凹部７２」と称する）が設けられている。加えて、長辺側側壁部３の第１挿入部６１が挿入される被挿入部４５が設けられた範囲の下フランジ部４４は、退避フランジ部７０となっている。
【００５１】
また、段積み凹部７２（退避フランジ部７０、及び、連結部７１）の形成範囲は、短辺側側壁部４（短辺側ベース部３１、及び、連結壁部３２）の上面、及び、長辺側側壁部３の長辺側凸部１４が延在する範囲と対応しており、図１９に示すように、組立状態にある容器１同士を上下に積み重ねる（段積みする）場合に、下側の容器１の短辺側側壁部４の上部、及び、長辺側凸部１４が、上側の容器１の段積み凹部７２に挿入されるようになっている。これにより、上側の容器１の下フランジ部４４が、下側の容器１の側壁部３、４の上面に当接して支持される（図２１参照）とともに、図２０、図２１に示すように、上側の容器１の底壁構成部２のうち段積み凹部７２が形成された範囲の部位が、下側の容器１の側壁部３、４の内側に挿入されることとなる。本実施形態では、短辺側側壁部４（短辺側ベース部３１、及び、連結壁部３２）の上部、及び、長辺側側壁部３の長辺側凸部１４により、段積み凸部が構成されている。
【００５２】
尚、底壁構成部２に立設された側壁部３、４は、略鉛直方向に延びており、底壁構成部２の縦壁部４２を上方に延長させるようにして設けられた周状突条部５５の内面の上縁部と、側壁部３、４の内面とは、略面一とされている。このため、容器１の段積み時に、上側の容器１の段積み凹部７２における縦壁部４２と、下側の容器１の側壁部３、４とが干渉しないように、図２、図２０、図２１に示すように、側壁部３、４の内面のうち上部（内側に上側の容器１の底壁構成部２が挿入される部位）は、縦壁部４２の厚み程度、容器１の外周側に変位させられた位置に設けられている。
【００５３】
また、図５等に示すように、底壁構成部２の底壁部４１のうち長手方向両端部（短側辺部）は、底壁構成部２の外周側に向けて若干上方傾斜して延びている（テーパ状とされ、接地しない）。このため、例えば、容器１をローラコンベアに載せて搬送する場合に、容器１の長手方向を搬送方向と合わせることで、底壁構成部２と、ローラコンベアのローラとの干渉が抑制され、容器１のスムースな搬送が可能となる。
【００５４】
以上詳述したように、本実施形態によれば、長辺側側壁部３は、その下辺部において、下方への突出長の異なる第１挿入部６１、及び、第２挿入部６４を備えており、長辺側側壁部３を底壁構成部２に取付ける場合に、先ず、第２挿入部６４の先端（下端）が対応する被挿入部４５に挿入され、その後、第１挿入部６１の先端が対応する被挿入部４５に挿入されることとなる。このため、長辺側側壁部３の複数の長辺側挿入部１２（本例では４つ）を、底壁構成部２の複数の被挿入部４５に挿入させる作業に際して、複数の長辺側挿入部１２のうち被挿入部４５に対して最初に挿入させる長辺側挿入部１２が第２挿入部６４に限定され、被挿入部４５に対して最初に、（ほぼ）同時に挿入させる長辺側挿入部１２の数を低減させることができる。従って、長辺側側壁部３に設けられた長辺側挿入部１２の数が多く、当該長辺側側壁部３を底壁構成部２に取付ける際に、その全ての長辺側挿入部１２を、対応する被挿入部４５と位置合わせし、（ほぼ）同時に挿入させるといった構成に比べ、作業性の向上を図ることができる。特に、第２挿入部６４は第１挿入部６１よりも下方に突出していることから、長辺側側壁部３の底壁構成部２への取付作業に際し、第２挿入部６４を対応する被挿入部４５に位置合わせすればよいことを認識し易くするとともに、位置合わせして挿入する作業を比較的容易に行うことができる。さらに、第２挿入部６４の先端が被挿入部４５に挿入された後は、第２挿入部６４をそのまま被挿入部４５の奥へと挿入させることで、第１挿入部６１と、対応する被挿入部４５との位置関係を余り意識しなくても、スムースに第１挿入部６１を対応する被挿入部４５に挿入させることができる。結果として、容器１の組立作業性の向上等を図ることができる。
【００５５】
また、長辺側側壁部３を底壁構成部２に取付ける際に、第１挿入部６１、及び、第２挿入部６４の第１係止部６２、及び、第２係止部６５が、第１当接部６３、及び、第２当接部６６において、底壁構成部２の第１被当接部６７、及び、第２被当接部６８と当接することとなる（第１係止部６２、及び、第２係止部６５が、第１被当接部６７、及び、第２被当接部６８を乗り越えて、メイン被係止部４７に係止される格好となる）。本実施形態では、長辺側側壁部３を、底壁構成部２の対応する長側辺部の上方において平行に配置した場合、第１当接部６３と第１被当接部６７との間の距離と、第２当接部６６と第２被当接部６８との間の距離とが同じとなるように構成されている。このため、長辺側側壁部３を、底壁構成部２の対応する長側辺部の上方において平行に配置し、そのまま下降させて長辺側挿入部１２を被挿入部４５に挿入させることで、第１当接部６３と、第１被当接部６７とが当接するタイミングと、第２当接部６６と、第２被当接部６８とが当接するタイミングとを一致させることができる。従って、長辺側側壁部３を底壁構成部２に取付ける際に、長辺側側壁部３と底壁構成部２との間のファーストコンタクトとしてメイン係止部１７が底壁構成部２から受ける応力を、長辺側側壁部３に設けられた全ての第１係止部６２、及び、第２係止部６５に分散させることができる。結果として、長辺側側壁部３を底壁構成部２に取付ける作業に際してのメイン係止部１７（第１係止部６２、及び、第２係止部６５）等の損傷リスクを低減させることができる。
【００５６】
加えて、複数の被挿入部４５の挿入口４６の高さ位置はいずれも同じとなるよう構成されている。このため、底壁構成部２のうち挿入口４６が形成される面、すなわち、側壁部３、４の下辺部との当接面を平坦面とすることができる。従って、例えば、底壁構成部２のうち挿入口４６の形成面が凸凹する場合に比べ、底壁構成部２と、側壁部３、４との間に隙間が形成されるといった事態を飛躍的に低減させることができる。
【００５７】
また、第１挿入部６１の第１係止部６２の第１当接部６３（傾斜部１７ｂ）の高さ位置と、第２挿入部６４の第２係止部６５の第２当接部６６（傾斜部１７ｂ）の高さ位置とが同じであり、第１被当接部６７（挿入口４６の開口縁であって、外壁部５０の上面と内面との境界部）の高さ位置と、第２被当接部６８（挿入口４６の開口縁であって、外壁部５０の上面と内面との境界部）の高さ位置とが同じとなるように構成されている。このように、第１被当接部６７、及び、第２被当接部６８の高さ位置を揃えることで、底壁構成部２の形状の複雑化を抑制することができる。さらに、第１当接部６３、及び、第２当接部６６の高さ位置、ひいては、第１挿入部６１の弾性片１６の付根部、及び、第２挿入部６４の弾性片１６の付根部から、第１当接部６３、及び、第２当接部６６までの間の長さを揃えることができる。従って、例えば、第１挿入部６１、及び、第２挿入部６４の弾性片１６の第１当接部６３、及び、第２当接部６６までの長さが異なることに起因して、各弾性片１６の変形し易さ等に差異が生じ、長辺側側壁部３を底壁構成部２に取付ける際に、各第１係止部６２、及び、第２係止部６５が底壁構成部２から受ける応力を、長辺側側壁部３に設けられた全ての第１係止部６２、及び、第２係止部６５に（ほぼ均等に）分散させるといった作用効果が薄れてしまうといった事態を回避することができる。
【００５８】
また、長辺側挿入部１２、及び、短辺側挿入部３３は、弾性係止片１５と、弾性係止片１５を囲むようにして設けられた保護部１９とを備えており、保護部１９により、弾性係止片１５の保護を図るとともに、長辺側挿入部１２、及び、短辺側挿入部３３を被挿入部４５に挿入する作業に際しての底壁構成部２に対する側壁部３、４の位置決めをより確実、かつ、スムースに行うことができる。さらに、第１当接部６３、及び、第２当接部６６が傾斜部１７ｂにおいて設けられているため、第１当接部６３、及び、第２当接部６６が第１被当接部６７、及び、第２被当接部６８と当接した後、弾性片１６を比較的スムースに弾性変形させることができ、第１係止部６２及び第２係止部６５（メイン係止部１７）が第１被当接部６７、及び、第２被当接部６８を相対的に乗り越えられるように、第１係止部６２及び第２係止部６５を比較的スムースに変位させることができる。
【００５９】
また、被挿入部４５を構成する横壁部４９、及び、外壁部５０により、受フランジ部４３と、下フランジ部４４と、縦壁部４２との間を連結されている。このため、受フランジ部４３、下フランジ部４４、及び、被挿入部４５の剛性を相乗的に高めることができる。従って、受フランジ部４３、下フランジ部４４、及び、被挿入部４５の変形、及び、損傷を抑止することができる。特に、下フランジ部４４のうち、底壁部４１を外方に延長させるようにして設けられた底フランジ部６９は、容器１が床面等の設置面に設置された場合に、底壁部４１とともに設置面に接地することとなる。このため、受フランジ部４３が、長辺側側壁部３から加重を受けた場合に、設置面に支持される底フランジ部６９と、第２挿入部６４が挿入される被挿入部４５の横壁部４９及び外壁部５０とが協働して、受フランジ部４３をより確実に支持する（受フランジ部４３の変形等を防止する）ことができる。その一方で、底フランジ部６９が設置面からの加重を受けた場合には、第２挿入部６４が挿入される被挿入部４５の横壁部４９及び外壁部５０、及び、受フランジ部４３が協働して、底フランジ部６９の変形等を防止することができる。
【００６０】
また、例えば、横壁部４９、及び、外壁部５０を、受フランジ部４３と、下フランジ部４４との間を連結するようにして設ける構成を省略する代わりに、同等の強度アップを図ることのできる補強用のリブを別途設ける場合に比べ、底壁構成部２の外周面側の構成の簡素化を図ることができる。さらに、底壁構成部２の外周面（縦壁部４２の外面）に対し、所定の情報を有する情報部（印刷面、カードホルダ設置部等）を設けるスペースを確保し易くすることができる。尚、底フランジ部６９が設けられることにより、容器１の接地面積を増やすことができ、設置状態の安定化を図ることができる。特に、長辺側側壁部３に下向きの力が作用した場合に、容器１が傾いてしまうといった事態をより確実に防止することができる。
【００６１】
加えて、底壁構成部２の下面側において、長側辺部の両端部、及び、短側辺部に対応して、段積み凹部７２が設けられ、容器１を段積みした場合に、上側の容器１の段積み凹部７２に対し、下側の容器１の短辺側側壁部４（短辺側ベース部３１及び連結壁部３２）の上部、及び、長辺側凸部１４が挿入されるようになっている。これにより、上側の容器１の底壁構成部２のうち段積み凹部７２が形成された範囲の部位を、下側の容器１の側壁部３、４の内側に挿入させるとともに、上側の容器１の下フランジ部４４を、下側の容器１の側壁部３、４の上面で確実に支持させることができる。従って、容器１を安定して段積みすることができ、運搬・保管効率の向上を図ることができる。
【００６２】
また、長辺側側壁部３の両端部に設けられる長辺側挿入部１２は第１挿入部６１であるため、底壁構成部２の高さが低い場合であっても、底壁構成部２の長側辺部の両端部に対応して、第１挿入部６１を挿入する被挿入部４５の下方位置に、段積み凹部７２を形成することができる。さらに、長辺側側壁部３の横幅方向中央部に長辺側凸部１４が設けられる場合に比べ、段積みに関する構成を好適に設けることができる。加えて、底壁部４１の下面の長手方向両端部をテーパ状に構成することも可能となる。
【００６３】
さらに、第１挿入部６１が挿入される被挿入部４５の横壁部４９及び外壁部５０が、受フランジ部４３と、退避フランジ部７０との間を連結するようにして設けられることから、受フランジ部４３、退避フランジ部７０、及び、第１挿入部６１が挿入される被挿入部４５の横壁部４９及び外壁部５０の強度を相乗的に高めることができる。従って、容器１を段積みした場合に、段積み凹部７２に対応する部位において、受フランジ部４３、退避フランジ部７０、及び、第１挿入部６１が挿入される被挿入部４５の横壁部４９及び外壁部５０が変形等してしまうといった事態を抑止することができる。
【００６４】
尚、上記実施形態の記載内容に限定されず、例えば次のように実施してもよい。勿論、以下において例示しない他の応用例、変更例も当然可能である。
【００６５】
（ａ）上記実施形態では、長辺側側壁部３の長辺側挿入部１２が４つ設けられ、そのうち２つが第２挿入部６４として構成され、短辺側側壁部４の短辺側挿入部３３が２つ設けられ、その２つとも第１挿入部６１と同じ形状及び大きさとして構成されているが、各側壁部３、４に設けられる長辺側挿入部１２、短辺側挿入部３３の数、配置、及び、第２挿入部６４の割合等については特に限定されるものではなく、側壁部３、４の横幅等に応じて適宜設計変更可能である。例えば、長辺側挿入部１２の配置を不均等にして、底壁構成部３の縦壁部４２の外面において、印刷面やカードホルダ設置部等のスペースを確保するように構成してもよい。但し、所定の側壁部３、４に設けられる長辺側挿入部１２及び短辺側挿入部３３の数が２つ以下の場合には、上記実施形態の短辺側側壁部４のように、長辺側挿入部１２及び短辺側挿入部３３の形状及び大きさを統一することとしてもよい。さらに、例えば、短辺側挿入部３３の下方において段積み凹部７２を形成しない場合には、短辺側挿入部３３を第２挿入部６４と同じ形状及び大きさとして構成することも可能である。
【００６６】
加えて、上記実施形態では、相対する一対の長辺側側壁部３の長辺側挿入部１２に関し、それぞれ２つの第１挿入部６１、及び、２つの第２挿入部６４が設けられるよう構成されている（相対する一対の長辺側側壁部３が同一の製品である）が、容器１を構成する側壁部３、４のうち少なくとも１つに関して、第１挿入部６１だけでなく、第２挿入部６４をも具備するように構成されていればよい。特に、第１挿入部６１、及び、第２挿入部６４を具備する側壁部は、容器１の組立てに際し、別の側壁部より先に底壁構成部２に取付けられ、底壁構成部２に対して単独で自立状態とさせることのできる側壁部であることとしてもよい。
【００６７】
また、例えば、所定の側壁部３、４に設けられる長辺側挿入部１２及び短辺側挿入部３３の数が５つ以上の場合、そのうち第２挿入部６４の数を２つとすることが望ましい。この場合、当該所定の側壁部３、４を底壁構成部２に取付ける際に、長辺側挿入部１２及び短辺側挿入部３３のうち、底壁構成部２の被挿入部４５に対し最初にほぼ同時に被挿入部４５に挿入させる長辺側挿入部１２及び短辺側挿入部３３の数を極力低減させるとともに、（第２挿入部６４が１つの場合に比べ）第２挿入部６４の先端部を被挿入部４５に挿入した状態の位置決めをより正確に行うことができる。
【００６８】
さらに、上記実施形態では、長辺側側壁部３の両側部に設けられる長辺側挿入部１２を第１挿入部６１として構成しているが、第２挿入部６４としてもよい。但し、底壁構成部２の高さが低い場合であって、段積みの構成を容器１の隅部に設ける場合には、長辺側側壁部３の両端部に設けられる長辺側挿入部１２を第１挿入部６１とすることで、その下方に段積み凹部７２のスペースを確保する。
【００６９】
（ｂ）上記実施形態では、長辺側側壁部３の長辺側挿入部１２に関し、第１挿入部６１（第１係止部６２）の第１当接部６３の高さ位置と、第２挿入部６４（第２係止部６５）の第２当接部６６の高さ位置とが同じであり、第１挿入部６１、及び、第２挿入部６４がそれぞれ挿入される被挿入部４５の第１被当接部６７の高さ位置と、第２被当接部６８の高さ位置とが同じとなっているが、第１挿入部６１、及び、第２挿入部６４の第１当接部６３、及び、第２当接部６６と、対応する被挿入部４５の第１被当接部６７、及び、第２被当接部６８との相対距離が等しくなっていればよい。例えば、第２当接部６６が第１当接部６３よりも特定距離低い位置となるように構成されるとともに、第２被当接部６８が第１被当接部６７よりも前記特定距離低い位置となるように構成されることとしてもよい。
【００７０】
また、上記実施形態では、第１被当接部６７、及び、第２被当接部６８が、挿入口４６の開口縁により構成されているが、第１被当接部６７、及び、第２被当接部６８が、挿入口４６よりも下方に設けられていることとしてもよい。さらに、上記実施形態では、被挿入部４５の挿入口４６の高さ位置がいずれも同じとなっているが、第１挿入部６１が挿入口４６に挿入されるタイミングと、第２挿入部６４が挿入口４６に挿入されるタイミングとが異なるように構成されていれば、第１挿入部６１が挿入される被挿入部４５の挿入口４６と、第２挿入部６４が挿入される被挿入部４５の挿入口４６とで、高さを異ならせてもよい。
【００７１】
尚、第１挿入部６１及び第２挿入部６４の長辺側ベース部１１との連結部の高さ位置、ひいては、第１挿入部６１及び第２挿入部６４の長さについては特に限定されるものではなく、第２挿入部６４は、被挿入部４５への挿入方向先端部である下端部が、第１挿入部６１よりも下方に位置していればよく、さらに、第１当接部６３及び第２当接部６６と、それぞれに対応する第１被当接部６７及び第２被当接部６８との間の距離が同じとなるように構成されていればよい。
【００７２】
（ｃ）上記実施形態において、弾性係止片１５の形状は特に限定されるものではなく、例えば、底壁構成部２の縦壁部４２の外面において印刷面やカードホルダ設置部等のスペースを確保するべく、弾性係止片１５、ひいては、保護部１９の横幅を狭くしたり、サブ係止部１８を省略したりしてもよい。また、上記実施形態では特に言及していないが、長辺側側壁部３を底壁構成部２に取付ける際に、第１挿入部６１のサブ係止部１８のうち底壁構成部２（サブ被係止部４８のうち被係止面の反対側の面）と最初に当接する部位の高さ位置と、第２挿入部６４のサブ係止部１８のうち底壁構成部２（サブ被係止部４８のうち被係止面の反対側の面）と最初に当接する部位の高さ位置とが同じであり、第１挿入部６１が挿入される被挿入部４５のサブ被係止部４８（被係止面、及び、その反対側の面）の高さ位置と、第２挿入部６４が挿入される被挿入部４５のサブ被係止部４８（被係止面、及び、その反対側の面）の高さ位置とが同じであることとしてもよい。この場合、サブ係止部１８に関しても、メイン係止部１７と同様に、長辺側側壁部３を底壁構成部２に取付ける際に、サブ係止部１８が底壁構成部２から受ける応力を、複数のサブ係止部１８に分散させることができる。結果として、長辺側側壁部３を底壁構成部２に取付ける作業に際してのサブ係止部１８の損傷リスク等を低減させることができる。
【００７３】
（ｄ）また、保護部１９の形状についても特に限定されるものではなく、例えば、弾性係止片１５の一側方、又は、両側方において、弾性片１６の側辺部に沿って上下に延びる柱部２０のみによって保護部１９を構成してもよい。但し、保護部１９の側壁部３、４（長辺側ベース部１１及び短辺側ベース部３１）の下辺部からの突出長は、弾性係止片１５の側壁部３、４の下辺部からの突出長以上であることが望ましい。この場合、弾性係止片１５を保護する作用効果がより確実に奏される。また、弾性係止片１５のうち弾性片１６は、保護部１９の厚みの範囲に設けられ、メイン係止部１７のうち少なくともメイン係止面１７ａの一部、及び、第１当接部６３、並びに、第２当接部６６は、保護部１９の厚みの範囲外に設けられていることが望ましい。この場合、保護部１９で弾性片１６の必要以上の変位、及び、意図しない方向への変位を防止して、弾性片１６の保護を図るとともに、容器１の振動等に起因して、弾性片１６が底壁構成部２に押圧されて変形し、メイン係止部１７と、メイン被係止部４７との係止状態が解除されてしまうといった事態を防止することができる。
【００７４】
尚、保護部１９を省略することも可能である。この場合、例えば、第１挿入部６１、及び、第２挿入部６４の弾性片１６の突出長を異ならせることで、長辺側側壁部３の取付作業に際し、第２挿入部６４を第１挿入部６１よりも先に被挿入部４５に挿入されるよう構成してもよい。
【００７５】
（ｅ）上記実施形態では、被挿入部４５を構成する横壁部４９及び外壁部５０が、受フランジ部４３、下フランジ部４４、及び、縦壁部４２の間を連結するようにして設けられているが、例えば、底壁構成部２の高さが比較的高い場合等において、横壁部４９及び外壁部５０が、下フランジ部４４から離間するように構成してもよい。但し、横壁部４９については、受フランジ部４３と下フランジ部４４との間を連結するようにして設け、受フランジ部４３、下フランジ部４４、及び、被挿入部４５の剛性を相乗的に高めることが望ましい。
【００７６】
（ｆ）上記実施形態では、容器１はポリプロピレンにより構成されているが、ポリエチレン、ＰＥＴ、ポリアミド等その他の樹脂材料により構成されることとしてもよい。
【符号の説明】
【００７７】
１…容器、２…底壁構成部、３…長辺側側壁部、４…短辺側側壁部、１１…長辺側ベース部、１２…長辺側挿入部、１４…長辺側凸部、１５…弾性係止片、１６…弾性片、１７…メイン係止部、１７ａ…メイン係止面、１７ｂ…傾斜部、１８…サブ係止部、１８ａ…サブ係止面、１９…保護部、２０…柱部、２１…横架部、４１…底壁部、４２…縦壁部、４３…受フランジ部、４４…下フランジ部、４５…被挿入部、４６…挿入口、４７…メイン被係止部、４８…サブ被係止部、４９…横壁部、５０…外壁部、６１…第１挿入部、６２…第１係止部、６３…第１当接部、６４…第２挿入部、６５…第２係止部、６６…第２当接部、６７…第１被当接部、６８…第２被当接部、６９…底フランジ部、７０…退避フランジ部、７２…段積み凹部。
【図１】
2018140815.tif 000003
【図２】
2018140815.tif 000004
【図３】
2018140815.tif 000005
【図４】
2018140815.tif 000006
【図５】
2018140815.tif 000007
【図６】
2018140815.tif 000008
【図７】
2018140815.tif 000009
【図８】
2018140815.tif 000010
【図９】
2018140815.tif 000011
【図１０】
2018140815.tif 000012
【図１１】
2018140815.tif 000013
【図１２】
2018140815.tif 000014
【図１３】
2018140815.tif 000015
【図１４】
2018140815.tif 000016
【図１５】
2018140815.tif 000017
【図１６】
2018140815.tif 000018
【図１７】
2018140815.tif 000019
【図１８】
2018140815.tif 000020
【図１９】
2018140815.tif 000021
【図２０】
2018140815.tif 000022
【図２１】
2018140815.tif 000023